(57)【特許請求の範囲】
【請求項１】
枠部材と、
上記枠部材と対向する位置に存在する底面部材と、
上記枠部材の端面と上記底面部材の端面とを連結するように設けられる側面部材と、を有するレンズホルダと、
上記レンズホルダの上記枠部材と、上記底面部材と、上記側面部材により構成されると共に、上記レンズホルダの左右両側に設けられる収容部と、
上記収容部のそれぞれに一つずつ収容され、チルトコイルとフォーカスコイルのうちのいずれか一方が内側に巻回され、残りの他方がその外側に巻回される複数の空芯コイルと、
上記レンズホルダの上記側面部材の側面全体にわたって貼り付けられる平板状の接続基板と、
その一端が上記接続基板上に設けられる平面固定部に導電性融着材により固定されることで上記空芯コイルと電気的に接続される支持ワイヤと、
を有することを特徴とする光ピックアップアクチュエータ。
【請求項２】
前記フォーカスコイルと前記チルトコイルの内の少なくともいずれか一方は、その表面に被膜が形成された熱融着ワイヤから成ることを特徴とする請求項１に記載の光ピックアップアクチュエータ。
【請求項３】
前記フォーカスコイルと前記チルトコイルからなる前記空芯コイルの側面に、トラッキングコイルが配置されることを特徴とする請求項１または２に記載の光ピックアップアクチュエータ。
【請求項４】
前記トラッキングコイルと対向するように配置される４つの永久磁石を有することを特徴とする請求項３に記載の光ピックアップアクチュエータ。
【請求項５】
前記トラッキングコイルは４つ備えられており、この４つのトラッキングコイルは、連続した１本の導線から成り、
前記４つのトラッキングコイルのうち対角位置に配置される２つの前記トラッキングコイルは同じ方向に巻線されると共に、前記２つのトラッキングコイルに隣接する位置に配置される前記トラキングコイルは逆方向に巻線されることを特徴とする請求項３または４に記載の光ピックアップアクチュエータ。
【請求項６】
前記フォーカスコイルと前記チルトコイルは、高さ方向において巻幅が同一となるように巻回されることを特徴とする請求項１から５のいずれか１項に記載の光ピックアップアクチュエータ。
【発明の詳細な説明】
【技術分野】
【０００１】
本発明は、光ディスクの記録面上に、対物レンズにてレーザー光を集光させて、光ディスクに記録されている情報を読み、または光ディスクに情報を記録させる光ディスク装置等に使用される光ピックアップアクチュエータに関する。
【背景技術】
【０００２】
近年、ＤＶＤ等の普及により、光ディスク装置は、高密度記録、読み込みに応じ、光ディスクの回転スピードの高速化および記録ピットの縮小化が進んでいる。これに伴い、回転する光ディスクの微小なずれに対して、適宜調整しつつ対物レンズを透過するレーザ光を光ディスクに集光させるための光ピックアップもまた、高周波駆動に対応しなくてはならない。また、光ディスク装置は、小型化および薄型化が求められている。このような要求に応えるためには、光ディスク上に照射させるための対物レンズを駆動させるための光ピックアップアクチュエータにも、小型化および薄型化が求められる。
【０００３】
従来の光ピックアップアクチュエータにおいては、フォーカスコイルとチルトコイルを高さ方向に重ねて配置させることで、当該光ピックアップアクチュエータの小型化を図っているものが特許文献１に開示されている。
【０００４】
【特許文献１】特開２００４−２３４８３２号公報（図７）
【発明の開示】
【発明が解決しようとする課題】
【０００５】
しかしながら、特許文献１に開示される光ピックアップアクチュエータでは、フォーカスコイルとチルトコイルを高さ方向に重ねて配置させているため、これら両コイルを別個独立に配置させる場合と比較して、水平方向の寸法は抑えることはできるが、高さ方向への寸法を抑えることができず、光ピックアップアクチュエータにおける可動部の薄型化を図ることができないといった問題を有している。
【０００６】
本発明は上記の事情にもとづきなされたもので、その目的とするところは、可動部の水平方向の寸法を抑えつつ当該可動部の薄型化を図ることが可能な光ピックアップアクチュエータを提供しようとするものである。
【課題を解決するための手段】
【０００７】
上記課題を解決するために、本発明は、枠部材と、枠部材と対向する位置に存在する底面部材と、枠部材の端面と底面部材の端面とを連結するように設けられる側面部材と、を有するレンズホルダと、レンズホルダの枠部材と、底面部材と、側面部材により構成されると共に、レンズホルダの左右両側に設けられる収容部と、収容部のそれぞれに一つずつ収容され、チルトコイルとフォーカスコイルのうちのいずれか一方が内側に巻回され、残りの他方がその外側に巻回される複数の空芯コイルと、レンズホルダの側面部材の側面全体にわたって貼り付けられる平板状の接続基板と、その一端が接続基板上に設けられる平面固定部に導電性融着材により固定されることで空芯コイルと電気的に接続される支持ワイヤと、を有するものである。このように構成した場合には、レンズホルダに配置される空芯コイルにおいてフォーカスコイルおよびチルトコイルのどちらか一方を内側に、残りの他方をその外側に配置しているため、両コイルを別個独立に配置させる場合と比較して、可動部分となる可動部全体の水平方向の寸法を抑えつつ、高さ方向の寸法を小さくすることができる。その結果、可動部の薄型化を図ることが可能となる。また、光ピックアップアクチュエータの薄型化に伴い、光ピックアップアクチュエータが軽量化され感度が向上する。
【０００８】
また、他の発明は、上述の発明に加えて更に、フォーカスコイルとチルトコイルの内の少なくともいずれか一方は、その表面に被膜が形成された熱融着ワイヤから成るものである。また、他の発明は、上述の発明に加えて更に、フォーカスコイルとチルトコイルからなる空芯コイルの側面に、トラッキングコイルが配置されるものである。また、他の発明は、上述の発明に加えて更に、トラッキングコイルと対向するように配置される４つの永久磁石を有するものである。また、他の発明は、上述の発明に加えて更に、トラッキングコイルは４つ備えられており、この４つのトラッキングコイルは、連続した１本の導線から成り、４つのトラッキングコイルのうち対角位置に配置される２つのトラッキングコイルは同じ方向に巻線されると共に、２つのトラッキングコイルに隣接する位置に配置されるトラキングコイルは逆方向に巻線されるものである。また、他の発明は、上述の発明に加えて更に、フォーカスコイルとチルトコイルは、高さ方向において巻幅が同一となるように巻回されるものである。
【発明の効果】
【０００９】
本発明によると、光ピックアップアクチュエータの可動部の水平方向の寸法を抑えつつ当該可動部の薄型化を図ることができる。
【発明を実施するための最良の形態】
【００１０】
以下、本発明の一実施の形態に係る光ピックアップアクチュエータ１０について、図１から図７に基づいて説明する。図１は、光ピックアップアクチュエータ１０の構成を示す斜視図である。図２は、光ピックアップアクチュエータ１０における可動部１１の構成を示す分解斜視図である。図３は。光ピックアップアクチュエータ１０における空芯コイル２５の構成を示す図であり、（ａ）は内側にチルトコイル２７を、その外側にフォーカスコイル２６を配置させた場合を示す斜視図であり、（ｂ）は、内側にフォーカスコイル２６を、その外側にチルトコイル２７を配置させた場合を示す斜視図である。図４は、図１の光ピックアップアクチュエータ１０の側面を示す図であり、（ａ）はその左側面図であり、（ｂ）は、その右側面図である。また、図５は、図１の光ピックアップアクチュエータ１０の平面図であり、図６は、図１の光ピックアップアクチュエータ１０の正面図である。図７は、図１の光ピックアップアクチュエータ１０に使用される各コイル２６，２７，２８の動作を説明するための図であり、（ａ）はフォーカスコイル２６の動作を示す概略図であり、（ｂ）は、チルトコイル２７の動作を示す概略図であり、（ｃ）は、トラッキングコイル２８の動作を示す概略図である。なお、以下の説明においては、一端側とは、図１および図２において左斜め上方を指し、他端側とは、右斜め下方を指すものとする。また、図１および図２における左斜め下方を左側、右斜め上方を右側という。また、図４において、一端側とは左側を指し、他端側とは右側を指すものとする。なお、図１は、導電性融着材３４，３８が注入されていない場合を示す。また、以下の図面において、各コイル２６，２７，２８の端末線の図示は省略するものとする。
【００１１】
光ピックアップアクチュエータ１０は、図１に示すように、レンズホルダ１２と、レンズホルダ１２の姿勢制御を行うフォーカスコイル２６ａ，２６ｂ、チルトコイル２７ａ，２７ｂおよびトラッキングコイル２８ａ〜２８ｄと、接続基板３０と、レンズホルダ１２を支持する支持基板３７と、その支持基板３７に対してレンズホルダ１２が移動可能となるように支持する６本の支持部材となる支持ワイヤ３５と、から主に構成されている。なお、レンズホルダ１２と、上記３種のコイル２６，２７，２８と、接続基板３０とから構成される部分を可動部１１とする。光ピックプアップ装置１０は、光ディスク（不図示）の記録面上に、後述する対物レンズ１９で光を集光させて、光ディスクに対し情報の記録または再生を行う装置である。
【００１２】
レンズホルダ１２は、光ピックアップアクチュエータ１０において磁気駆動される部分であり、ホルダ部１２ａとその左右に設けられた収納部１２ｂ，１２ｃとから構成されている。ホルダ部１２ａはレンズホルダ１２の中央部に設けられており、その中央には光ディスクの記録面上に光を集光させるための対物レンズ１９が備えられている。また、ホルダ部１２ａにおける他端側の両側部近傍および一端側の中央部近傍には、ディスク衝突防止のためのピン嵌合用穴が計３つ設けられており、当該ピン嵌合用穴には、ディスク衝突防止のためのピン２１がそれぞれ螺入される。そのため、光ディスクと対物レンズが接近した際に、直接接触することを回避することが可能となる。収納部１２ｂ，１２ｃは、ホルダ部１２ａの左右に設けられている。そして、当該収納部１２ｂ，１２ｃは、ホルダ部１２ａの左側および右側の側面における上方から当該側面に対して垂直となる方向に延出する枠状をした枠部材１２ｄ，１２ｅと、ホルダ１２ａの左側および右側の側面における下方から当該側面に対して垂直となる方向に延出する平板状の底面部材１２ｆ，１２ｇと、枠部材１２ｄ，１２ｅの端面と底面部材１２ｆ，１２ｇの端面とを連結するように設けられた側面部材１２ｈ，１２ｉと、から構成されている。また、収納部１２ｂ，１２ｃにおける枠部材１２ｄ，１２ｅ、底面部材１２ｆ，１２ｇおよび側面部材１２ｈ，１２ｉは、一体的に成形されている（図２参照）。
【００１３】
図１に示すように、収納部１２ｂ，１２ｃの内部には、空芯コイル２５ａ，２５ｂが配置されている。空芯コイル２５ａ，２５ｂ（以下、空芯コイル２５ａ，２５ｂをまとめていう場合には、空芯コイル２５という。）は、レンズホルダ１２をフォーカス方向（図６における矢示Ｘ−Ｘ方向）に移動させるフォーカスコイル２６ａ，２６ｂ（以下、フォーカスコイル２６ａ，２６ｂをまとめていう場合には、フォーカスコイル２６という。）と、レンズホルダ１２をチルト方向（図６における矢示Ｚ−Ｚ方向）に傾斜させるチルトコイル２７ａ，２７ｂ（以下、チルトコイル２７ａ，２７ｂをまとめていう場合には、チルトコイル２７という。）の２種類のコイルから構成されている。
【００１４】
本実施の形態では、空芯コイル２５において、その内側にはチルトコイル２７が配置され、その外側にはフォーカスコイル２６が配置されている（図３（ａ）参照）。また、チルトコイル２７は、フォーカスコイル２６と比較した場合、高感度を必要としないことから、チルトコイル２７の巻数はフォーカスコイル２６の巻数より少ない。本実施の形態では、フォーカスコイル２６およびチルトコイル２７としては、その表面に被膜が形成された熱融着ワイヤが採用されている。また、空芯コイル２５の内側にフォーカスコイル２６を配置し、その外側にチルトコイル２７を配置するようにしても良い（図３（ｂ）参照）。
【００１５】
収納部１２ｂ，１２ｃに配置された空芯コイル２５ａ，２５ｂを構成するフォーカスコイル２６ａ，２６ｂは１本の導線からなっている。また、チルトコイル２７ａ，２７ｂも１本の導線からなっている。すなわち、フォーカスコイル２６の内側にチルトコイル２７が配置された状態では、収納部１２ｂ，１２ｃに配置されたフォーカスコイル２６ａとフォーカスコイル２６ｂおよびチルトコイル２７ａとチルトコイル２７ｂは、それぞれ繋がっている。例えば、図７（ａ），図７（ｂ）に示すように、対物レンズ１９の光軸の上方から見た場合で時計回り方向（矢示Ｄ１方向）への巻回を正巻、反時計回り方向（矢示Ｄ２方向）への巻回を逆巻とすると、左右のフォーカスコイル２６ａ，２６ｂは、共に正巻となっており、互いに同方向に巻回されている。また，図７（ｂ）に示すように、左側のチルトコイル２７ａは正巻、右側のチルトコイル２７ｂは逆巻となっており、左右のチルトコイル２７ａ，２７ｂは互いに逆方向に巻回されている。また、空芯コイル２５ａ，２５ｂは共に、その巻軸の方向が、対物レンズ１９の光軸と同方向となるように配置されている。
【００１６】
空芯コイル２５ａ，２５ｂの他端側の側面には、レンズホルダ１２をトラッキング方向（図６における矢示Ｙ−Ｙ方向）に移動させる巻線状に巻回された２つのトラッキングコイル２８ａ，２８ｄがそれぞれ配置され、空芯コイル２５ａ，２５ｂの一端側の側面にも、巻線状に巻回された２つのトラッキングコイル２８ｂ，２８ｃがそれぞれ配置されている。４つのトラッキングコイル２８ａ，２８ｂ，２８ｃ，２８ｄ（以下、トラッキングコイル２８ａ，２８ｂ，２８ｃ，２８ｄをまとめていう場合、トラッキングコイル２８という。）は、連続した１本の導線からなっている。図７（ｃ）に示すように、トラッキングコイル２８ａ，２８ｃは、それぞれ正面から見て（光ピックアップアクチュエータ１０を他端側から一端側に見て）正巻（矢示Ｄ１方向）となっており、トラッキングコイル２８ｂ，２８ｄは、それぞれ正面から見て逆巻（矢示Ｄ２方向）となっている。
【００１７】
また、トラッキングコイル２８ａ，２８ｄからはコイルの端末線が引き出されており、トラッキングコイル２８は、上述したようにトラッキングコイル２８ａからトラッキングコイル２８ｂ，２８ｃを経てトラッキングコイル２８ｄへと順次巻回されている。また、トラッキングコイル２８ａ，２８ｂ，２８ｃ，２８ｄのそれぞれの巻軸は、図１におけるＡ−Ａ軸と同軸方向となっている。なお、上述の巻軸の方向の規則性を満たしている場合、トラッキングコイル２８ａ，２８ｂ，２８ｃ，２８ｄの巻回順序は特に限定されない。
【００１８】
収納部１２ｂの左側および収納部１２ｃの右側には、接続基板３０ａ，３０ｂ（以下、接続基板３０ａ，３０ｂをまとめていう場合には、接続基板３０という。）がそれぞれ取り付けられている。接続基板３０ａ，３０ｂの収納部１２ｂ，１２ｃへの取り付けは、接続基板３０ａ，３０ｂの内側の平面３０ｃを収納部１２ｂ，１２ｃの側面部材１２ｈ，１２ｉの外側に接着剤で固定することによって行われる（図２参照）。接続基板３０ａ，３０ｂは、図１、図２および図４に示すように、略長方形の平面形状をした基板となっている。また、その基板面に相当する平面部３０ｄに対して垂直方向となる端面のうち、図１および図４において他端側に位置する端面３０ｅには、半円状に切り欠かれた合計３つの側面端子３１が設けられている。なお、２つの接続基板３０ａ，３０ｂは、同じ形状となっており、収納部１２ａ，１２ｂの側面部材１２ｈ，１２ｉの外側に左右対称に配置されている。各側面端子３１は、凹形状の内周面全体に導電用のパッドが形成されることで導電端子とされている。
【００１９】
また、図１および図４に示すように、接続基板３０の平面部３０ｄの略中央には、３つの平面固定部３２が、上方から下方にかけて並ぶように設けられており、各側面端子３１と、それぞれランド３３により導電可能に接続されている。
【００２０】
フォーカスコイル２６ａ，２６ｂおよびチルトコイル２７ａ，２７ｂからそれぞれ引き出された端末線、並びにトラッキングコイル２８ａ，２８ｄからそれぞれ引き出された端末線は、収納部１２ｂ，１２ｃの側面部材１２ｈ，１２ｉにそれぞれ取り付けられた接続基板３０ａ，３０ｂの各側面端子３１に導電性融着材３４によって導電可能に接続されている。本実施の形態では、導電性融着材３４として半田が用いられている。それぞれのコイルの端末線は、各側面端子３１に、導電性融着材３４が、各側面端子３１の凹部から突出しないように接続されているので、接続基板３０の平面部３０ｄに半田が延在することはない。
【００２１】
６本の支持ワイヤ３５は、導電性を有するワイヤであり、可動部１１の弾性的保持と、支持基板３７および接続基板３０の間を電気的に接続するものである。また、支持基板３７は、長方形の形状をした基板であり、その左右両端部近傍には、円形の孔３７ａが３つずつ縦に並ぶように設けられている。そして、支持ワイヤ３５の一端は、支持基板３７に設けられた孔３７ａにそれぞれ挿通され、支持基板３７に対して導電性融着材により固定されている。一方、支持ワイヤ３５の他端は、接続基板３０ａ，３０ｂの左側および右側の側面に、それぞれ３本ずつ固定されている。各支持ワイヤ３５は、たわみ可能とされている。このため、可動部１１は、支持基板３０に対して固定した位置ではなく、可動できるようになっている。
【００２２】
前述したように、支持ワイヤ３５の他端は、接続基板３０ａ，３０ｂの側面にそれぞれ接続されている。すなわち、当該支持ワイヤ３５の他端は、図４（ａ），図４（ｂ）に示すように、接続基板３０ａ，３０ｂの平面部３０ｄに設けられた平面固定部３２に、それぞれ導電性融着材３８により導電可能に接続されている。このように構成されているため、それぞれの接続部における導電性融着材３８は、図１おける左右方向に突出する。なお、本実施の形態では、導電性融着材３８として半田が用いられている。
【００２３】
また、平面固定部３２は、ランド３３を介してそれぞれ側面端子３１と導電可能となっている。また、側面端子３１には、フォーカスコイル２６、チルトコイル２７およびトラッキングコイル２８の端末線が、それぞれ支持ワイヤ３５の長手方向に対して直交（ワイヤ３５の長手方向に対してやや斜めとなる場合も直交に含める。）するように導電可能に接続されている。以上のようにして、支持ワイヤ３５は、それぞれフォーカスコイル２６の端末線、チルトコイル２７の端末線およびトラッキングコイル２８の端末線と電気的に接続されている。
【００２４】
本実施の形態では、図５に示すように、光ピックアップアクチュエータ１０には、６つのヨーク４０ａ〜４０ｆが配置されている。ヨーク４０ａ〜４０ｆの内ヨーク４０ａ，４０ｂは金属板からなっている。当該ヨーク４０ａ〜４０ｆは、光ピックアップアクチュエータ１０の基台から当該基台に対して直角となる方向に突出して設けられている。ヨーク４０ａ，４０ｂは、それぞれ空芯コイル２５ａ，２５ｂの内側に形成された中空部に挿通するように配置されている。なお、ヨーク４０ａ、４０ｂと空芯コイル２５ａ，２５ｂとの間には、全周に亘って隙間が設けられている。また、ヨーク４０ｃ，４０ｄとヨーク４０ｅ，４０ｆは、レンズホルダ１２を挟んでそれぞれ対向するように配置され、且つ、ヨーク４０ｃ，４０ｄ，４０ｅ，４０ｆは、それぞれトラッキングコイル２８ａ，２８ｄ，２８ｂ，２８ｃと対向するような位置関係となるように配置されている。
【００２５】
各ヨーク４０ｃ，４０ｄ，４０ｅ，４０ｆには、永久磁石４２がそれぞれ接着剤等により固定されており、当該永久磁石４２は、トラッキングコイル２８ａ，２８ｄ，２８ｂ，２８ｃと対向するように固定されている。また、各永久磁石４２は、トラッキングコイル２８ａ，２８ｄ，２８ｂ，２８ｃと対向する側がＮ極、ヨーク４０ｃ，４０ｄ，４０ｅ，４０ｆに固定される側がＳ極となるように配置されている
【００２６】
このようにヨーク４０ａ，４０ｂと永久磁石４２が配置されることで、図５において一端側に対向するように配置される２つの永久磁石４２から発せられる磁力線はヨーク４０ａに集中する。そして、当該磁力線は永久磁石４２とヨーク４０ａとの間で磁路を形成する。また、他端側に対向するように配置される２つの永久磁石４２から発せられる磁力線も同様にヨーク４０ｂに集中する、そして、当該磁力線も永久磁石４２とヨーク４０ｂとの間で磁路を形成する。そのため、これらの磁路は確実にフォーカスコイル２６、チルトコイル２７およびトラッキングコイル２８を通過する。したがって、各コイル２６，２７，２８に印加される駆動電流が作用して、レンズホルダ１２が、フォーカス方向、チルト方向およびトラッキング方向に駆動される。
【００２７】
次に、光ピックアップアクチュエータ１０の動作について説明する。
【００２８】
まず、光ディスク装置において、光ディスクが駆動モータにより回転駆動されている状態で、移動機構により光ピックアップアクチュエータ１０を所望の位置に移動させる。そして、光学系で発生したレーザー光を対物レンズ１９により光ディスクの記録面上に集光させて、光ディスクに対して情報の記録、再生などを行う。光ピックアップアクチュエータ１０の状態（対物レンズ１９の姿勢）を制御する場合には、光検出器で検出された光ディスクの記録面の傾きに関する検出結果を、変換部で電気信号に変換し、制御部に電気信号として出力する。制御部では、変換部から出力された電気信号に基づいて、フォーカスコイル２６、チルトコイル２７およびトラッキングコイル２８のそれぞれに制御された電流を流すことにより対物レンズ１９の方向を調整する。
【００２９】
対物レンズ１９をフォーカス方向に移動させる場合には、例えば、図７（ａ）に示すように、制御部は、フォーカスコイル２６ａ，２６ｂに正方向（図７（ａ）における矢示Ｄ１方向）の制御電流を供給する。当該制御電流は、支持ワイヤ３５および接続基板３０を介してフォーカスコイル２６に供給される。すると、フォーカスコイル２６ａ，２６ｂに供給された正方向の電流と永久磁石４２のＮ極から発生する磁力線Ｋとが作用し、フォーカスコイル２６ａ，２６ｂの両者には、互いに同方向となる下方（図７（ａ）における矢示Ｆ１方向）への力が作用する。このため、レンズホルダ１２が光ディスクに対してフォーカス方向（図６における矢示Ｘ−Ｘに方向）に移動し、対物レンズ１９のフォーカス方向への位置が微調整される。
【００３０】
同様に、対物レンズ１９をチルト方向に移動させる場合には、例えば、図７（ｂ）に示すように、制御部は、チルトコイル２７ａに正方向（図７（ｂ）における矢示Ｄ１方向）およびチルトコイル２７ｂに逆方向（図７（ｂ）における矢示Ｄ２方向）の制御電流を供給する。当該制御電流は、支持ワイヤ３５および接続基板３０を介してチルトコイル２７ａ，２７ｂに順次供給される。すると、チルトコイル２７ａに供給される正方向の電流と永久磁石４２のＮ極から発生する磁力線Ｋとが作用し、チルトコイル２７ａには、下方（図７（ｂ）における矢示Ｆ１方向）への力が作用する。一方、チルトコイル２７ｂには、当該チルトコイル２７ａに供給される逆方向の電流と永久磁石４２のＮ極から発生する磁力線Ｋとが作用し、上方（図７（ｂ）における矢示Ｆ２方向）への力が作用する。このようにチルトコイル２７ａ，２７ｂとの間では、互いに逆方向の力が作用する。したがって、図６における矢示Ｚ方向のモーメントが発生する。このモーメントにより、レンズホルダ１２は光ディスクに対してチルト方向に傾き、対物レンズ１９のチルト方向への位置が微調整される。
【００３１】
また、対物レンズ１９をトラッキング方向に移動させる場合には、例えば、図７（ｃ）に示すように、制御部は、トラッキングコイル２８ａ，２８ｃに正方向（図７（ｃ）における矢示Ｄ１方向）およびトラッキングコイル２８ｂ，２８ｄに逆方向（図７（ｃ）における矢示Ｄ２方向）の制御電流を供給する。当該制御電流は、支持ワイヤ３５および接続基板３０を介してトラッキングコイル２８ａ，２８ｂ，２８ｃ，２８ｄに順次供給される。すると、トラッキングコイル２８ａ，２８ｃに供給される正方向の電流と永久磁石４２のＮ極から発生する磁力線Ｋとが作用し、トラッキングコイル２８ａ，２８ｃには、右方向（図７（ｃ）における矢示Ｆ３方向）への力が作用する。また、トラッキングコイル２８ｂ，２８ｄには、当該トラッキングコイル２８ａ，２８ｃに供給される逆方向の電流と永久磁石４２のＮ極から発生する磁力線Ｋとが作用し、右方向（図７（ｃ）における矢示Ｆ３方向）への力が作用する。このようにトラッキングコイル２８ａ，２８ｂ，２８ｃ，２８ｄとの間では、互いに同方向の力が作用する。このため、レンズホルダ１２が光ディスクに対してトラッキング方向（図６におけるＹ−Ｙ方向）に移動し、対物レンズ１９のトラッキング方向への位置が微調整される。このように光ピックアップアクチュエータ１０では、レンズホルダ１２を、光ディスクに対してフォーカス方向、チルト方向およびトラッキング方向の３軸方向に移動させて、対物レンズ１９の位置を微調整することが可能である。したがって、光ディスクに対する光ピックアップアクチュエータ１０の状態を高精度に制御することができる。
【００３２】
以上のように構成された光ピックアップアクチュエータ１０では、可動部１１に配置される空芯コイル２５においてフォーカスコイル２６を外側に配置し、チルトコイル２７を、その内側に配置している。このように、一箇所に二種類のコイル２６，２７を配置させることにより、両コイル２６，２７を別個独立に配置させる場合と比較して、可動部１１全体の水平方向の寸法を抑えつつ、高さ方向の寸法を小さくすることができる。このため、可動部１１の薄型化を図ることが可能となる。また、光ピックアップアクチュエータ１０の薄型化に伴い、光ピックアップアクチュエータ１０が軽量化され感度が向上する。また、フォーカスコイル２６とチルトコイル２７の巻厚を厚くすることにより、それぞれのコイルの規定の巻数を変更せずに、空芯コイル２５の高さ寸法を低減できると共に、空芯コイル２５の巻厚が増加するために、高い剛性を得ることが可能となる。
【００３３】
また、光ピックアップアクチュエータ１０では、フォーカスコイル２６、チルトコイル２７およびトラッキングコイル２８の端末線（不図示）を接続基板３０に設けられた側面端子３１となる端面３０ｅで接続することができるため、この接続のための導電性融着材３４が、接続基板３０から突出しなくなる。このため、支持ワイヤ３５が各コイル２６，２７，２８の端末線用の導電性融着材３４と接触する危険が減少し、支持ワイヤ３５を接続基板３０に近づけることができる。よって、光ピックアップアクチュエータ１０の横方向の寸法を小さくすることが可能となる。また、従来と同様な横方向寸法とした場合は、支持ワイヤ３５と、接続基板３０との間のスペースを大きくでき、このスペースの発生により光ピックアップアクチュエータ１０の設計上の自由度が向上する。また、導電性融着材３８を多量に使用してスペースをかせぐ従来の構造に比べ導電性融着材３８が減少し、光ピックアップアクチュエータ１０が軽量化され、光ピックアップアクチュエータ１０の感度が向上する。さらに、コイル２６，２７，２８の端末線は、接続基板３０の端面３０ｅで接続されているため、大きく曲がる部分がなくなり断線しづらいものとなる。
【００３４】
また、コイル２６，２７，２８の端末線は、接続基板３０の端面３０ｅで接続されるため、コイル２６，２７，２８の端末線の接続に用いられる導電性融着材３４が接続基板３０の平面部３０ｄに存在しなくなる。よって、当該導電性融着材３４が支持ワイヤ３５と接触する危険性が大幅に減少する。それにより、接触による動作不良の発生が減少すると共に各コイル２６，２７，２８の端末線と、支持ワイヤ３５とがショートする危険性が減少する。また、側面端子３１には、凹部が設けられているため、導電性融着材３４が他の部位に流れていくことを防止できるとともに、コイル２６，２７，２８の端末線の位置保持が容易となり固定作業が簡単化される。
【００３５】
以上、本発明の一実施の形態について説明したが、本発明は、以下のように種々変形可能となっている。
【００３６】
上述の実施の形態では、対物レンズ１９の光軸の上方から見て時計回り方向への巻回を正巻とし、反時計回り方向の巻回を逆巻としたが、これとは反対に時計回り方向への巻回を逆巻とし、反時計回り方向の巻回を正巻とし、各コイル２６ａ，２６ｂ，２７ａ，２７ｂのそれぞれの巻き方向を、上述の各実施の形態の場合と逆にするようにしても良い。同様に各コイル２８ａ，２８ｂ，２８ｃ，２８ｄの巻き方も逆にしても良い。また、上記位置制御の規定を満足する範囲で、永久磁石４２のＮ極とＳ極の方向とコイル２６，２７，２８の巻回方向を適宜変更しても良い。
【００３７】
また、上述の実施の形態では、レンズホルダ１２には、フォーカスコイル２６ａ，２６ｂ、チルトコイル２７ａ，２７ｂおよびトラッキングコイル２８ａ，２８ｂ，２８ｃ，２８ｄの合計８つのコイルが配置されているが、トラッキング用のコイルを省略したり、フォーカス用のコイルを１つとしたりしても良い。すなわち、コイルを８つに限ることなく７つ以下としても良いし、９つ以上としても良い。また、フォーカスコイル、チルトコイル、トラッキングコイルは、巻線による形成でも、コイルパターンをフィルムに形成するフィルムコイルによるものでも良い。
【００３８】
また、上述の実施の形態に係る光ピックアップアクチュエータ１０は、主としてインナーヨークタイプに採用されるが、これに限らず、例えば、永久磁石４２のオープン磁束の力のみを利用したオープンマグネットタイプのアクチュエータや、ヨークを対向する２つのマグネットで挟むように配置させた対向マグネットタイプのアクチュエータに採用するようにしても良い。
【００３９】
また、上述の実施の形態では、合計６本の支持ワイヤ３５によって可動部１１を支持しているが、これに限ることなく、可動部１１に配置されるコイルの数に対応させて、支持ワイヤの本数を左右２本ずつの計４本としたり、左右４本ずつの計８本としても良い。また、導電用の支持ワイヤ以外に保持のみを行う支持ワイヤを１本または複数本付加するようにしても良い。このように支持ワイヤの本数は、５本以下としても良いし、７本以上としても良い。また、各支持ワイヤ３５は、Ａ−Ａ軸方向に沿って水平に配置されているが、Ａ−Ａ軸方向に対して傾斜するように配置さても良い。この場合、孔３７ａを適宜ワイヤ３５に適応させて設ける必要がある。
【００４０】
また、上述の実施の形態では、各側面端子３１は断面が半円形の形状となっているが、これに限らず、斜面型の形状、Ｌ字型の形状およびコ字が他の形状、Ｖ字型、半楕円形型としても良い。また、接続基板３０における側面端子３１を、１つや２つ等とし、一部を側面端子３１とする構成を適用するようにしても良い。
【００４１】
また、上述の実施の形態では、永久磁石４２をＡ−Ａ軸方向に対向するように配置しているが、Ａ−Ａ軸方向に対して垂直となる方向に永久磁石４２を配置するようにしても良い。この場合、永久磁石４２が形成する磁気回路に対応させて巻線を巻回する必要がある。
【００４２】
また、上述の実施の形態では、側面端子３１は接続基板３０の端面３０ｅにのみ３つ形成されているが、これに限らず、例えば、側面端子３０を、端面３０ｅに２つ設け、端面３０ｅと対向する端面に１つ設けるように、接続基板３０の対向する２つの端面に分散させて設けるようにしても良い。
【産業上の利用可能性】
【００４３】
本発明の光ピックプアップアクチュエータは、レンズ等の光学系を動作させる装置全てに適応でき、特にＣＤプレ−ヤー、ＤＶＤプレーヤー等の各種音響再生装置または影像再生装置において特に好適に利用することができる。
【図面の簡単な説明】
【００４４】
【図１】本発明の一実施の形態に係る光ピックプアップアクチュエータの構成を示す斜視図である。
【図２】図１の光ピックアップアクチュエ−タにおける可動部の構成を示す分解斜視図である。
【図３】本発明の一実施の形態に係る光ピックアップアクチュエータに使用される空芯コイルの構成を示す図であり、（ａ）は内側にチルトコイルを、その外側にフォーカスコイルを配置させた場合を示す斜視図であり、（ｂ）は、内側にフォーカスコイルを、その外側にチルトコイルを配置させた場合を示す斜視図である。
【図４】図１の光ピックアップアクチュエータの側面を示す図であり、（ａ）はその左側面図であり、（ｂ）は、その右側面図である。
【図５】図１の光ピックアップアクチュエータの平面図である。
【図６】図１の光ピックアップアクチュエータの正面図である。
【図７】図１の光ピックアップアクチュエータに使用される各コイルの動作を説明するための図であり、（ａ）はフォーカスコイルの動作を示す概略図であり、（ｂ）は、チルトコイルの動作を示す概略図であり、（ｃ）は、トラッキングコイルの動作を示す概略図である。
【符号の説明】
【００４５】
１０…光ピックアップアクチュエータ
１１…可動部
１２…レンズホルダ
１９…対物レンズ
２５…空芯コイル（空芯巻きされたコイルに対応）
２６（２６ａ，２６ｂ）…フォーカスコイル
２７（２７ａ，２７ｂ）…チルトコイル
２８（２８ａ，２８ｂ，２８ｃ，２８ｄ）…トラッキングコイル
【図１】
0004404824.tif 000002
【図２】
0004404824.tif 000003
【図３】
0004404824.tif 000004
【図４】
0004404824.tif 000005
【図５】
0004404824.tif 000006
【図６】
0004404824.tif 000007
【図７】
0004404824.tif 000008